(57)【要約】【課題】電圧を感知するように構成された変圧器を含む電気外科ジェネレータを提供し、これを利用した電気外科の装置、システム、および方法を提供すること。【解決手段】電圧を感知するように構成されているマルチ二次変圧器を備える、電気外科システムであって、該マルチ二次変圧器は、該電気外科システムの活性端子と戻り端子とに結合された一次巻き線と、複数の二次巻き線であって、該二次巻き線のそれぞれは、無線周波数電圧を感知電圧に変圧するように構成され、該二次巻き線のそれぞれは、センサ回路に結合された出力を含み、かつ該センサ回路に該感知電圧を送信するように構成されている、複数の二次巻き線とを含む、電気外科システム。【選択図】なし【特許請求の範囲】
【請求項１】
電圧を感知するように構成されているマルチ二次変圧器を備える、電気外科システムであって、該マルチ二次変圧器は、
該電気外科システムの活性端子と戻り端子とに結合された一次巻き線と、
複数の二次巻き線であって、該二次巻き線のそれぞれは、無線周波数電圧を感知電圧に変圧するように構成され、該二次巻き線のそれぞれは、センサ回路に結合された出力を含み、かつ該センサ回路に該感知電圧を送信するように構成されている、複数の二次巻き線と
を含む、電気外科システム。
【請求項２】
前記二次巻き線の少なくとも一つは、前記無線周波数電圧をステップダウンする、請求項１に記載の電気外科システム。
【請求項３】
前記二次巻き線のそれぞれは、同じ巻き数を含む、請求項１および請求項２のいずれか１項に記載の電気外科システム。
【請求項４】
前記二次巻き線の少なくとも一つは、モジュラであり、前記マルチ二次変圧器と選択的に係合可能であるよう構成されている、請求項１、請求項２、および請求項３のいずれか１項３に記載の電気外科システム。
【請求項５】
活性端子と戻り端子とを含み、かつ無線周波数を生成するように構成されている無線周波数出力ステージと、
組織特性と無線周波数電圧特性とのうちの少なくとも一つを測定するセンサ回路と、
該無線周波数出力ステージの該活性端子と該戻り端子とに結合された一次巻き線と、複数の二次巻き線とを含むマルチ二次変圧器であって、該二次巻き線のそれぞれは、無線周波数電圧を感知電圧に変圧するように構成され、該二次巻き線のそれぞれは、該センサ回路に結合された出力を含み、かつ該センサ回路に該感知電圧を送信するように構成されている、マルチ二次変圧器と
を備える、電気外科ジェネレータ。
【請求項６】
前記二次巻き線の少なくとも一つは、前記無線周波数電圧をステップダウンする、請求項５に記載の電気外科ジェネレータ。
【請求項７】
前記二次巻き線のそれぞれは、同じ巻き数を含む、請求項５および請求項６のいずれか１項に記載の電気外科ジェネレータ。
【請求項８】
前記二次巻き線の少なくとも一つは、モジュラであり、前記マルチ二次変圧器と選択的に係合可能であるよう構成されている、請求項５、請求項６および請求項７のいずれか１項に記載の電気外科ジェネレータ。
【請求項９】
組織に前記無線周波数電圧を配給するように構成されている電気外科器具をさらに備え、該電気外科器具は、前記活性端子に結合されている、請求項５、請求項６、請求項７および請求項８のいずれか１項に記載の電気外科ジェネレータ。
【発明の詳細な説明】
【技術分野】
【０００１】
（背景）
（技術分野）
本開示は、電気外科の装置、システム、および方法に関する。より具体的には、本開示は、電圧を感知するように構成された変圧器を含む電気外科ジェネレータに向けられる。
【背景技術】
【０００２】
（関連技術の背景）
エネルギベースの組織処置は、当該分野で周知である。様々なタイプのエネルギ（例えば、電気、超音波、マイクロ波、極低温、加熱、レーザなど）が、所望の結果を達成するために、組織に付与される。電気外科は、外科サイトに、高無線周波数電流を付与して、組織をカット、アブレーション、凝固、またはシールすることを含む。モノポーラ電気外科において、ソース電極または活性電極は、電気外科ジェネレータから組織に無線周波数エネルギを配給し、戻り電極は、電流を搬送して、ジェネレータに戻す。モノポーラ電気外科において、ソース電極は、典型的には、電気外科器具の一部であり、この器具は、外科医によって保持され、処置されるべき組織に付与される。患者戻り電極は、活性電極から離れたところに置かれ、電流を搬送して、ジェネレータに戻す。
【０００３】
アブレーションは、最も一般的には、モノポーラ手順であり、この手順は、特に、ガン処置の分野で有用である。ここで、１つ以上のＲＦアブレーション針電極（通常、細長い円筒の幾何学的形状）が、生体に挿入される。このような針電極の典型的な形は、絶縁シースを組み込み、このシースから、露出された（非絶縁）先端が延びる。ＲＦエネルギが、戻り電極と挿入されたアブレーション電極との間に提供されるとき、ＲＦ電流が、針電極から体を通って流れる。典型的に、電流密度は、針電極の先端近くで非常に高く、このことによって、周辺組織を加熱し、破壊する傾向にある。
【０００４】
バイポーラ電気外科において、携帯器具の電極の一方が、活性電極として機能し、他方が、戻り電極として機能する。戻り電極は、電気回路が２つの電極（例えば、電気外科鉗子）の間に形成されるように、活性電極の非常に近接して置かれる。この方法で、付与される電流は、電極間に置かれた体組織に限定される。電極が、互いに十分離れているとき、電流回路は、開であり、したがって、離れた電極のいずれかと体組織とが不注意に接触しても、電流が流れない。
【０００５】
当該分野において、この電気外科ジェネレータは、電圧を感知する変圧器を利用することは、公知である。しかしながら、従来のジェネレータは、一般的に、冗長な機能を実行する１つ以上の変圧器を含む。
【発明の開示】
【課題を解決するための手段】
【０００６】
（概要）
本開示は、電気外科ジェネレータに使用するマルチ二次変圧器に関する。変圧器は、１つ以上の二次巻き線を含み、これによって、変圧器は、対応する数の感知電圧を、引き続き解析をするためのセンサ回路に出力することが可能となる。
【０００７】
本開示の一つの局面に従うと、電気外科システムが開示される。電気外科システムは、電圧を感知するように構成されているマルチ二次変圧器を含む。該マルチ二次変圧器は、該電気外科システムの活性端子と戻り端子とに結合された一次巻き線と、複数の二次巻き線とを含む。該二次巻き線のそれぞれは、無線周波数電圧を感知電圧に変圧するように構成される。該二次巻き線のそれぞれは、センサ回路に結合された出力を含み、かつ該センサ回路に該感知電圧を送信するように構成されている。
【０００８】
本開示の別の局面に従うと、電気外科ジェネレータが開示される。該ジェネレータは、活性端子と戻り端子とを有し、かつ無線周波数を生成するように構成されている無線周波数出力ステージと、組織特性と無線周波数電圧特性とのうちの少なくとも一つを測定するセンサ回路とを含む。該ジェネレータはまた、電気外科システムの活性端子と戻り端子とに結合された一次巻き線と、複数の二次巻き線とを有するマルチ二次変圧器も含む。該二次巻き線のそれぞれは、無線周波数電圧を感知電圧に変圧するように構成される。該二次巻き線のそれぞれは、センサ回路に結合された出力を含み、該センサ回路に該感知電圧を送信するように構成されている。
【０００９】
本開示によって、方法も考慮される。該方法は、電圧を感知するように構成されているマルチ二次変圧器を提供するステップを含む。該マルチ二次変圧器は、電気外科システムの活性端子と戻り端子とに結合された一次巻き線と、複数の二次巻き線とを含む。該二次巻き線のそれぞれは、センサ回路に結合された出力を含む。該方法はまた、活性端子と戻り端子とを含む無線周波数出力ステージで、無線周波数電圧を生成するステップと、該二次巻き線のそれぞれで、該無線周波数電圧を感知電圧に変圧して、該センサ回路に、該出力を介して該感知電圧を送信するステップとを含む。
【００１０】
本発明は、さらに、以下の手段を提供する。
【００１１】
（項目１）
電圧を感知するように構成されているマルチ二次変圧器を備える、電気外科システムであって、該マルチ二次変圧器は、
該電気外科システムの活性端子と戻り端子とに結合された一次巻き線と、
複数の二次巻き線であって、該二次巻き線のそれぞれは、無線周波数電圧を感知電圧に変換するように構成され、該二次巻き線のそれぞれは、センサ回路に結合された出力を含み、かつ該センサ回路に該感知電圧を伝達するように構成されている、複数の二次巻き線と
を含む、電気外科システム。
【００１２】
（項目２）
上記二次巻き線の少なくとも一つは、上記無線周波数電圧をステップダウンする、項目１に記載の電気外科システム。
【００１３】
（項目３）
上記二次巻き線のそれぞれは、同じ巻き数を含む、項目１に記載の電気外科システム。
【００１４】
（項目４）
上記二次巻き線の少なくとも一つは、モジュラであり、上記マルチ二次変圧器と選択的に係合可能であるよう構成されている、項目１に記載の電気外科システム。
【００１５】
（項目５）
活性端子と戻り端子とを含み、かつ無線周波数を生成するように構成されている無線周波数出力ステージと、
組織特性と無線周波数電圧特性とのうちの少なくとも一つを測定するセンサ回路と、
該無線周波数出力ステージの該活性端子と該戻り端子とに結合された一次巻き線と、複数の二次巻き線とを含むマルチ二次変圧器であって、該二次巻き線のそれぞれは、無線周波数電圧を感知電圧に変換するように構成され、該二次巻き線のそれぞれは、該センサ回路に結合された出力を含み、かつ該センサ回路に該感知電圧を伝達するように構成されている、マルチ二次変圧器と
を備える、電気外科ジェネレータ。
【００１６】
（項目６）
上記二次巻き線の少なくとも一つは、上記無線周波数電圧をステップダウンする、項目５に記載の電気外科ジェネレータ。
【００１７】
（項目７）
上記二次巻き線のそれぞれは、同じ巻き数を含む、項目５に記載の電気外科ジェネレータ。
【００１８】
（項目８）
上記二次巻き線の少なくとも一つは、モジュラであり、上記マルチ二次変圧器と選択的に係合可能であるよう構成されている、項目５に記載の電気外科ジェネレータ。
【００１９】
（項目９）
組織に上記無線周波数電圧を配給するように構成されている電気外科器具をさらに備え、該電気外科器具は、上記活性端子に結合されている、項目５に記載の電気外科ジェネレータ。
【００２０】
（項目１０）
電気外科を実行する方法であって、該方法は、
電圧を感知するように構成されているマルチ二次変圧器を提供するステップであって、該マルチ二次変圧器は、電気外科システムの活性端子と戻り端子とに結合された一次巻き線と、複数の二次巻き線とを含み、該二次巻き線のそれぞれは、センサ回路に結合された出力を含む、ステップと、
活性端子と戻り端子とを含む無線周波数出力ステージで、無線周波数電圧を生成するステップと、
該二次巻き線のそれぞれで、該無線周波数電圧を感知電圧に変換して、該センサ回路に該出力を介して該感知電圧を伝達するステップと
を包含する、方法。
【００２１】
（項目１１）
上記二次巻き線の少なくとも一つは、上記無線周波数電圧をステップダウンする、項目１０に記載の方法。
【００２２】
（項目１２）
上記二次巻き線のそれぞれは、同じ巻き数を含む、項目１０に記載の方法。
【００２３】
（項目１３）
上記二次巻き線の少なくとも一つは、モジュラであり、上記マルチ二次変圧器と選択的に係合可能であるよう構成されている、項目１０に記載の方法。
【００２４】
（項目１４）
上記活性端子に結合されている電気外科器具を介して、組織に上記無線周波数電圧を配給するステップをさらに包含する、項目１０に記載の方法。
【００２５】
（摘要）
電気外科システムが、開示される。該電気外科システムは、電圧を感知するように構成されているマルチ二次変圧器を含む。該マルチ二次変圧器は、該電気外科システムの活性端子と戻り端子とに結合された一次巻き線と、複数の二次巻き線とを含む。該二次巻き線のそれぞれは、無線周波数電圧を感知電圧に変圧するように構成されている。該二次巻き線のそれぞれは、センサ回路に結合された出力を含み、該センサ回路に該感知電圧を送信するように構成されている。
【発明を実施するための最良の形態】
【００２６】
本開示の様々な実施形態は、図面を参照して、本明細書に記載される。
【００２７】
（詳細な説明）
本開示の特定の実施形態は、添付図面を参照して、本明細書で、以下に記載される。以下の記載において、周知の機能または構造は、不必要な詳細の中で、本開示を曖昧にすることを避けるために、詳細に記載されていない。
【００２８】
本開示に従うジェネレータは、管封鎖の手順を含め、モノポーラおよびバイポーラの電気外科手順で実行され得る。ジェネレータは、様々な電気外科器具（例えば、モノポーラ活性電極、戻り電極、バイポーラ電気外科鉗子、足踏みスイッチなど）とインタフェースする複数の出力を含み得る。さらに、ジェネレータは、様々な電気外科モード（例えば、カット、ブレンド、分割など）および手順（例えば、モノポーラ、バイポーラ、管封鎖）に特に適した無線周波数パワーを生成するように構成されている電子回路網を含む。
【００２９】
図１Ａは、本開示の一つの実施形態に従うモノポーラ電気外科システムの回路図である。このシステムは、患者Ｐの組織を処置する１つ以上の電極を有する電気外科器具２を含む。器具２は、１つ以上の活性電極（例えば、電気外科カットプローブ、アブレーション電極など）を含むモノポーラタイプの器具である。電気外科ＲＦエネルギは、供給ライン４を介してジェネレータ２０によって、器具２に供給される。供給ライン４は、ジェネレータ２０の活性端子３０（図２）に接続され、このことによって、器具２は、組織を凝固、シール、アブレーション、および／またはこれら以外の処置をすることが可能になる。エネルギは、ジェネレータ２０の戻り端子３２（図２）で、戻りライン８を介して戻り電極６を通ってジェネレータ２０に戻る。活性端子３０と戻り電極３２とは、器具２のプラグ（明確に図示せず）と戻り電極６とにインタフェースするように構成されたコネクタであり、器具２のプラグと戻り電極６とは、供給ライン４と戻りライン８の端部に、それぞれ配置されている。
【００３０】
このシステムは、複数の戻り電極６を含み得、複数の戻り電極６は、患者Ｐとの全接触面積を最大とすることによって、組織損傷の機会を最小化するように配置される。さらに、ジェネレータ２０と戻り電極６とは、両者間に十分な接触が存在することを確実にして、組織損傷の機会をさらに最小化するために、いわゆる「組織から患者へ」の接触をモニタするように構成され得る。
【００３１】
図１Ｂは、本開示に従うバイポーラ電気外科システムの回路図である。このシステムは、患者Ｐの組織を処置する１つ以上の電極を有するバイポーラ電気外科鉗子１０を含む。電気外科鉗子１０は、該鉗子に配置された活性電極１４と、戻り電極１６とを有する対向ジョー（ｏｐｐｏｓｉｎｇ  ｊａｗ）部材を含む。活性電極１４と戻り電極１６とは、ケーブル１８を介して、ジェネレータ２０に接続されている。ケーブル１８は、供給ライン４および戻りライン８を含み、これらのラインは、それぞれ活性電極３０と戻り電極３２とに接続されている（図２）。電気外科鉗子１０は、コネクタ２１で、ジェネレータ２０に結合される。コネクタ２１は、ケーブル１８の端部に配置されたプラグを介して、活性端子３０と戻り端子３２（例えば、ピン）とへの接続を有する。ここで、このプラグは、供給ライン４および戻りライン８からの接触を含む。
【００３２】
ジェネレータ２０は、ジェネレータ２０を制御するための適切な入力制御（例えば、ボタン、アクチベータ、スイッチ、タッチスクリーンなど）を含む。さらに、ジェネレータ２０は、様々な出力情報（例えば、強度設定、処置完了インジケータなど）をユーザに提供するために、１つ以上の表示スクリーンを含み得る。制御によって、ユーザは、ＲＦエネルギ、波形、および他のパラメータを調整して、特定のタスク（例えば、凝固、組織封鎖、強度設定など）のための所望の波形を達成することが可能となる。器具２はまた、複数の入力制御を含み得る。これらの入力制御は、ジェネレータ２０の特定の入力制御と重複し得る。器具２に入力制御を置くことによって、ジェネレータ２０との対話を要することなく、外科手順の間に、ＲＦエネルギパラメータをより簡単に、より容易に修正することが可能になる。
【００３３】
図２は、ジェネレータ２０の回路ブロック図を示し、ジェネレータ２０は、コントローラ２４、高圧ＤＣ電源２７（「ＨＶＰＳ」）、およびＲＦ出力ステージ２８を有する。ＨＶＰＳ２７は、従来のＡＣ電源（例えば、電気の壁コンセント）に接続され、高圧ＤＣパワーをＲＦ出力ステージ２８に提供し、次いで、ＲＦ出力ステージ２８が、高圧ＤＣパワーをＲＦエネルギに変換し、ＲＦエネルギを活性電極３０に配給する。エネルギは、戻り電極３２を介して、活性電極３０に戻る。
【００３４】
特に、ＲＦ出力ステージ２８は、高ＲＦエネルギの正弦波形を生成する。ＲＦ出力ステージ２８は、複数の波形を生成するように構成され、これらの波形は、様々な負荷サイクル、ピーク電圧、波高因子、および他の適切なパラメータを有する。ある種の波形は、特定の電気外科モードに対して適切である。例えば、ＲＦ出力ステージ２８は、カットモードで、１００％負荷サイクル正弦波形を生成し、これは、組織をアブレーション、フュージング（ｆｕｓｉｎｇ）、解剖（ｄｉｓｓｅｃｔｉｎｇ）するのに、最適であり、凝固モードで１〜２５％負荷サイクル波形を生成し、これは、組織を焼灼（ｃａｕｔｅｒｉｚｉｎｇ）して、出血を止めるために、最適に使用される。
【００３５】
ジェネレータ２０は、様々なタイプの電気外科器具（例えば、器具２、電気外科鉗子１０など）に適合するために、複数のコネクタを含み得る。さらに、ジェネレータ２０は、アブレーション、モノポーラ、およびバイポーラカット凝固などのような様々なモードで動作するように構成される。ジェネレータ２０は、コネクタ間でのＲＦエネルギの供給を切り換えるスイッチングメカニズム（例えば、リレー）を含み得る。これは、例えば、器具２が、ジェネレータ２０に接続されているとき、モノポーラプラグのみが、ＲＦエネルギを受けるようにするためである。
【００３６】
コントローラ２４は、メモリ２６に動作可能なように接続されたマイクロプロセッサ２５を含む。メモリ２６は、揮発性タイプのメモリ（例えば、ＲＡＭ）および／または不揮発性タイプのメモリ（例えば、フラッシュ媒体、ディスク媒体など）であり得る。マイクロプロセッサ２５は、出力ポートを含み、出力ポートは、ＨＶＰＳ２７および／またはＲＦ出力ステージ２８に動作可能なように接続され、これによって、マイクロプロセッサ２５は、開および／または閉の制御ループスキームのいずれかに従って、ジェネレータ２０の出力を制御することが可能になる。マイクロプロセッサ２５は、本明細書で議論された計算を実行するのに適合された任意のロジックプロセッサ（例えば、制御回路）によって置換され得ることは、当業者は、理解する。
【００３７】
閉ループ制御スキームは、フィードバック制御ループであり、ここで、様々な組織およびエネルギ特性（例えば、組織インピーダンス、組織温度、出力電流、および／または電圧など）を測定する複数のセンサを含み得るセンサ回路２２は、コントローラ２４にフィードバックを提供する。このようなセンサは、当業者の理解の範囲である。コントローラ２４は、次いで、ＨＶＰＳ２７および／またはＲＦ出力ステージ２８に信号伝達し、次いで、これらは、それぞれＤＣおよび／またはＲＦ電源を調整する。コントローラ２４はまた、ジェネレータ２０または器具２の入力制御から入力信号も受信する。コントローラ２４は、この入力信号を利用して、ジェネレータ２０によって出力されるパワーを調整し、および／またはジェネレータ上の他の制御機能を実行する。
【００３８】
様々なタイプの制御ループにおいて、ＲＦ出力ステージ２８によって配給されるＲＦエネルギの特定の特性を測定することは、望ましいことであり得る。特に、電圧は、連続的に測定され、（例えば、外科サイトでインピーダンスを計算する）センサ回路２２に配給される。マルチ二次変圧器４０は、ＲＦ出力ステージ２８と、活性電極３０および戻り電極３２との間に結合される。変圧器４０は、センサ回路２２に電圧信号を提供する。従来のジェネレータにおいて、マルチ感知変圧器は、一次電圧感知（例えば、組織およびＲＦエネルギ特性を計算する）および二次電圧感知（例えば、投薬量エラー計算、単一の故障保護）のような複数の目的のための電圧センサとして役立てるために使用されている。対照的に、本開示の一つの実施形態の教示に従う変圧器４０は、複数の感知電圧を出力するように構成され、複数の感知変圧器に対する必要性を排除する。
【００３９】
図３は、ＲＦ出力ステージ２７の活性端子３０および戻り端子３２に結合された変圧器４０の電気回路図を示す。ＲＦ出力ステージ２７は、電気外科手順（例えば、凝固、アブレーションなど）を実行するのに適した無線周波数電圧（ＶＲＦ）を生成する。変圧器４０は、ＶＲＦを所望の感知電圧、特に、感知電圧ＶＳＥＮ１およびＶＳＥＮ２に変圧する。変圧器４０は、ＲＦ出力ステージ２７の出力を有する回路内にある一次巻き線４２と、それぞれセンサ回路出力５０および５２を有する回路内にある複数の二次巻き線４４および４６とを含む。変圧器４０はまた、センサ回路戻り４８にも結合され、センサ回路戻り４８は、接地として機能する。変圧器４０はまた、差分測定のためにも構成され得、これによって、接地の必要性を排除する。複数の二次巻き線を有することで、変圧器４０は、複数のＶＳＥＮ電圧をセンサ回路２２に出力可能である。したがって、ＶＳＥＮ１は、組織のインピーダンスを決定するための一次感知電圧として使用され得、ＶＳＥＮ２は、様々なエラー条件をモニタするための二次感知電圧として使用され得る。
【００４０】
一次巻き線４２は、所定の一次巻き数ＮＰを含み、二次巻き線４４および４６は、二次巻き線数ＮＳを含む。二次巻き線４４および４６のそれぞれに対して、ＮＳが同じ場合、変圧器のステップダウン比を決定する巻き数比（ＮＰ／ＮＳ）もまた、同じである。このことによって、変圧器４０は、均一のＶＲＦに対して、等しいＶＳＥＮ１およびＶＳＥＮ２を出力することが可能になる。ＮＳは、二次回路４４および４６のそれぞれに対して異なることもあり得、これによって、異なるステップダウン比、そして、それゆえ、異なるＶＳＥＮも可能である。
【００４１】
変圧器４０は、センサ回路２２によってモニタされるべき感知電圧の数に依存して、複数（例えば、３つ、または４つ）の二次巻き線を含み得る。変圧器４０の二次回路は、モジュラであり得、二次巻き線は、ステップダウン比を調整するために、「入」および「出」を切り換えされ得る。このことによって、種々のジェネレータモードに関連するＲＦ電圧における大きな変動に適応する。
【００４２】
変圧器４０は、単一の変圧器鉄心により良く結合されるなど、従来の電気外科に対する多くの改善を提供する。単一の鉄心構成はまた、服用量エラーに関連する精度を改善し、よりコンパクトなものを提供する。このことは、次いで、回路の設置面積を小さくするとともに、ジェネレータ２０の全体質量も小さくする。よりシンプルにされた設計もまた、ジェネレータ２０のより安価な構成を提供する。なぜなら、単一の変圧器は、複数の変圧器によって今まで実行されてきた同じ機能を実行し得るからである。
【００４３】
本開示の幾つかの実施形態が、図面に示され、および／または本明細書の中で議論されてきたが、本開示は、これらに限定することを意図されない。なぜなら、本開示は、技術が可能とし、本明細書が同様に読まれるべき範囲と、同じ広さであることを意図されるからである。それゆえ、以上の記載は、限定するものとして解釈されるべきはなく、特定の実施形態の単なる例示として解釈されるべきである。当業者は、本明細書に添付される請求項の範囲および精神の中で、他の改変を想定する。
【図面の簡単な説明】
【００４４】
【図１Ａ】図１Ａは、本開示に従う電気外科システムの回路ブロック図である。
【図１Ｂ】図１Ｂは、本開示に従う電気外科システムの回路ブロック図である。
【図２】図２は、本開示の一つの実施形態に従うジェネレータの回路ブロック図である。
【図３】図３は、本開示に従うマルチ二次変圧器の電気回路図である。
【符号の説明】
【００４５】
Ｐ  患者
２  電気外科器具
４  供給ライン
６、１６  戻り電極
８  戻りライン
１０  バイポーラ電気外科鉗子
１４  活性電極
１８  ケーブル
２０  ジェネレータ
２１  コネクタ
２２  センサ回路網
２４  コントローラ
２５  マイクロプロセッサ
２６  メモリ
２７  高圧ＤＣ電源（ＨＶＰＳ）
２８  ＲＦ出力ステージ
３０  活性端子、活性電極
３２  戻り端子、戻り電極
４０  変圧器
４２  一次巻き線４２
４４、４６  二次巻き線
４８  センサ回路戻り
５０、５２  センサ回路出力
【図１Ａ】
2008080134.tif 000002
【図１Ｂ】
2008080134.tif 000003
【図２】
2008080134.tif 000004
【図３】
2008080134.tif 000005